(57)【要約】  【課題】  横架材の断面欠損を少くして、組付けが簡単で堅牢な軸組装置を提供する。  【解決手段】  柱、胴差などの構造材１と梁や桁などの横架材３を、横架材３に嵌入する接合金具２と前記横架材の端部に嵌挿するピンを組合わせて互いに接続する。そして、前記横架材３を、木質部分３ａと金属板３ｂを前記ピン４Ａ，４Ａ´、４Ｂ，４Ｂ´の嵌挿方向の交互に重ね合わせて構成する。【選択図】    図１
2005155164.tif 000002
【特許請求の範囲】
【請求項１】
柱、胴差などの構造材に突設した接合金具を梁や桁などの横架材に嵌入させて、該横架材の端部と前記接合金具を接続杆を嵌挿して互いに接続した軸組装置において、前記横架材を木質部分と金属板等の木質以外の補強板を前記接続杆の嵌挿方向に交互に重ね合わせて構成した、木造建物の軸組装置。
【請求項２】
一対の補強板間に接合金具の係合溝を設けた、請求項１記載の木造建物の軸組装置。
【発明の詳細な説明】
【技術分野】
【０００１】
本発明は、柱や胴差などの構造材と梁や桁などの横架材で成る木造建物の軸組装置に関するものである。
【背景技術】
【０００２】
柱、胴差などの構造材と梁や桁などの横架材を、横架材に嵌入する接合金具と、該接合金具と前記横架の端部に嵌挿する接続杆とで互いに接続した木造建物の軸組装置は公知である（例えば、特許文献１）。
【０００３】
【特許文献１】特開平１０−２２７０６５号公報
【発明の開示】
【発明が解決しようとする課題】
【０００４】
前記公報記載の従来例は横架材に嵌挿した接続杆に横架材の荷重が負荷する構成を採るため、木質の横架材に設けた、前記接続杆嵌挿用の嵌挿孔の内縁が接続杆に接して該接続杆にその荷重が負荷されることになる。このため、横架材に嵌挿孔部分から割裂が生じ易くなり、この結果、当該嵌挿孔を横架材の端面からできるだけ離開させた位置に嵌挿孔を設けねばならないことになり、必然的に構造材側からの接合金具の突出量が多くなり、横架材の端面に形成する該接合金具の嵌入部も奥行幅が大きくせざるを得ず、横架材の断面欠損を防ぐことがむずかしい。
【０００５】
本発明は斯様な従来例の欠点に着目して創案したものである。
【課題を解決するための手段】
【０００６】
柱、胴縁などの構造材に突設した接合金具を梁や桁などの横架材に嵌入させて、該横架材の端部と前記接合金具を接続杆を嵌挿して互いに接続した軸組装置において、前記横架材を木質部分と金属等の木質以外の耐割裂性の有る補強板を前記接続杆の嵌挿方向に交互に重ね合わせて構成したものである。
【発明の効果】
【０００７】
本発明によれば、接続杆が木質部分だけでなく補強板を通じて嵌挿されることになるから、前記木質部分と補強板とで成る横架材の荷重が接続杆に負荷しても、補強板の存在によって横架材（木質部分）の割裂を防ぐことができ、従って、接続杆の嵌挿孔を横架材の端面に近づけて設けても不都合はなくなるから、該接続杆を用いて横架材と接続する接合金具の構造材側からの突出量を低減できるから、該接合金具を嵌入する（のみこむ）ための横架材側の凹入部（係合溝）の奥行幅も狭くてすみ、その分、横架材の断面欠損を防ぐことができ、堅牢な軸組装置を提供できる。
【０００８】
また、横架材そのものを、木質以外の補強板と木質部分とで構成するものであるから、木質部分のやせによる様々な支障を防ぐことができ、耐荷重性の優れた軸組装置を提供できる。
【実施例】
【０００９】
図面は本発明に係る木造建物の軸組装置の実施例を示し、図１は第一実施例の縦断面図、図２は第一実施例の横断面図、図３は第二実施例の縦断面図、図４は第二実施例の横断面図、図５は横架材の斜視図である。
【００１０】
本発明に係る木造建物の軸組装置は、柱や胴差などの構造材側に取付けた接合金具２，２´と梁や桁などの横架材３側に嵌挿するピン４Ａ，４Ａ´、４Ｂ，４Ｂ´を組合わせて構造材１と横架材３を接合して構成したもので、横架材３は、木質部分３ａ，３ａの間に補強板を構成する金属板３ｂを介在させるようにして横（水平）方向に該木質部分３ａと金属板３ｂを交互に重ね合わせて構成し、構造材１との接合側の端部には金属板３ｂ，３ｂ間に介在した中央の木質部分３ａ（図面上３ａ´で表わす）の接合端側の一部を削除した形態の前記接合金具２，２´の係合溝５を設けたものである。
【００１１】
なお、横架材３を構成する木質部分（板）３ａと金属板３ｂ（実施例は鋼板で構成する）は接着剤で接着する一方、適所に先端が突出しないように釘１８を打込んで互いに止着してある。
【００１２】
また、金属板３ｂに代えて、例えば、金属、ガラス、カーボン、アラミド、セラミックス等の繊維に、エポキシ、ポリウレタン、ジアリルフタレート、フェノール等の樹脂を含浸させて構成したシート状の所謂強化プラスチックを用いても良く、要は、木質部の割裂性を補強し、耐荷重性を備えてあれば良い。
【第一実施例】
【００１３】
第一実施例の接合金具２は、構造材１に設けた取付孔６に構造材１の横架材３との接合面方向にしてボルト杆７を貫通させ、前記接合面より突出するボルト杆７の先端に螺合締付けて構造材１に突設したもので、前記ボルト杆７に螺合する螺子筒８と頭部９とで成り、頭部９を六角頭状部９ａと前記螺子筒８部に隣接する漸次先太状のテーパ部９ｂとの間に鍔部９ｃを介在させて構成したものである。
【００１４】
第一実施例はこの接合金具２を構造材１に縦方向に並べて突設する一方、横架材３の端部の上部に前記係合溝５を横切るようにして設けた最上位の嵌挿孔１０Ａにピン４Ａを嵌挿して組付け、前記係合溝５に構造材１側の前記接合金具２，２，２が嵌入（係合）するようにして横架材３を接合金具２の上方から降下させ、前記ピン４Ａを接合金具２の頭部９のテーパ部９ｂ上に載置して組付けて仮接合状態を得るのである。
【００１５】
この仮接合状態時にあって、横架材３の前記最上位の嵌挿孔１０Ａの下側に並べて設けた他の嵌挿孔１０Ａ´，１０Ａ´も該嵌挿孔１０Ａと同様に接合金具２（テーパ部９ｂ）の上縁と一致する位置に配されるようにして横架材３端部に設けてあり、この嵌挿孔１０Ａ´，１０Ａ´中の、構造材１側に設けた最下位の前記接合金具２（のテーパ部９ｂ）に対応する最下位のものとの最下位の接合金具２´を介する対称位置には該最下位のものと平行する他の嵌挿孔１０Ｂを設けてある。
【００１６】
そして、嵌挿孔１０Ａ´，１０Ａ´に最上位の嵌挿孔１０Ａに前記ピン４Ａを嵌挿したと同様にピン４Ａ´を打込み、嵌挿し、この打込み嵌挿と相前後して残余の最も下側の嵌挿孔１０Ｂにピン４Ｂを打込み嵌挿することにより、横架材３は構造材１に接合され、構造材１と横架材３との軸組状態を得られる。
【００１７】
前記ピン４Ｂは、構造材１に突設した最下位の接合金具２の下縁（テーパ部９ｂの下縁）に接することにより横架材３の構造材３に沿う上昇を防ぐと共に、他のピン１０Ａ´，１０Ａ´とで接合金具２を直接又は間接的に挟持する（例えば、最上位の接合金具２の場合、その上縁側にピン４Ａが接して位置することになるから、該ピン４Ａと最下位の接合金具２の下縁に接するピン４Ｂとで最上位の接合金具２を間接的に挟持することになる）。
【００１８】
最下位の接合金具２と同様に他の接合金具２もピン４Ａ又は４Ａ´とピン４Ｂによって直接的に挟持するようにしても良いが、接合金具２の下側に配するのは最下位のピン４Ｂを用いるだけで、構造材１と横架材３との接合強度上不都合はない。
【第二実施例】
【００１９】
第二実施例の接合金具２´は、取付板１１に一対の側板１２，１２を相対して連設して構成し、ボルト杆７´を取付板１１に設けた透孔１３を通じて構造材１に設けた取付孔６に横架材３との接合面側から第一実施例と同様に貫通させ、構造材１より突出するボルト杆７´先端にナット１４を螺合、締付けて構造材１の接合面に突設したもので、取付板１１には、横架材３の端部に前記係合溝５を横切るようにして第一実施例と同様に縦方向に並べて設けた嵌挿孔１０Ａ，１０Ｂ´，１０Ｂ´に一致する位置にして受止切欠１５又は透孔１５´を設けてある。
【００２０】
そして、第二実施例は、第一実施例と同様、横架材３の端部の上部に前記係合溝５を横切るようにして設けた最上位の嵌挿孔１０Ａにピン４Ａを嵌挿して組付け、前記係合溝５に構造材１側の前記接合金具２´が嵌入（係合）するようにして横架材３を接合金具２の上方から降下させ、前記ピン４Ａを接合金具２´の側板１２に設けた受止切欠１５に係合載置して仮接合状態を得るのである。
【００２１】
この仮接合状態時にあって、横架材３端部の前記最上位の嵌挿孔１０Ａの下側に並べて設けた他の嵌挿孔１０Ｂ´，１０Ｂ´も嵌挿孔１０Ａが受止切欠１５に一致すると同様に透孔１５´に一致する位置に配されるようにして横架材３端部に設けてある。
【００２２】
そして、嵌挿孔１０Ｂ´，１０Ｂ´に、前記透孔１５´を通じてピン４Ｂ´を打込み、嵌挿することにより、横架材３は構造材１に接合され、構造材１と横架材３の軸組状態を得られるのである。
【図面の簡単な説明】
【００２３】
【図１】第一実施例の縦断面図。
【図２】第一実施例の横断面図。
【図３】第二実施例の縦断面図。
【図４】第二実施例の横断面図。
【図５】横架材の斜視図。
【符号の説明】
【００２４】
１          構造材
２，２´    接合金具
３          横架材
３ａ        木質部分
３ｂ        金属板
４Ａ，４Ａ´、４Ｂ，４Ｂ´          ピン
【図１】
2005155164.tif 000003
【図２】
2005155164.tif 000004
【図３】
2005155164.tif 000005
【図４】
2005155164.tif 000006
【図５】
2005155164.tif 000007